(57)【要約】【課題】  主に河川堤防の裏法尻に設置され、堤体中に浸透し、ドレーン層に集水された雨水や河川水による浸透水を速やかに堤体外に排出して堤脚を保護する機能を有する堤脚水路構造物に、水路内に流れ込む雨水量の相違に対応可能で、裏法面から堤脚の前面に流下した雨水の処理も可能な機能を持たせる。【解決手段】  堤体中に設置されるドレーン層４に隣接して前記堤体の裏法尻に設置され、排水孔２ｃを持つ壁版２ａと底版２ｂを有する法尻ブロック２と、この法尻ブロック２の背面側に設置され、その底版２ｂに連結されて暗渠水路Ａを形成する、壁版３ａと底版３ｂを有する水路ブロック３から堤脚水路構造物１を構成し、堤脚水路Ｂを形成し得るよう、水路ブロック３を法尻ブロック２の底版２ｂに前面側にも連結可能にする。【選択図】      図１
2006283522.tif 000002
【特許請求の範囲】
【請求項１】
堤体中に設置されるドレーン層に隣接して前記堤体の裏法尻に設置され、排水孔を持つ壁版と底版を有する法尻ブロックと、この法尻ブロックの背面側に設置され、その底版に連結されて暗渠水路を形成する、壁版と底版を有する水路ブロックとを備え、前記水路ブロックは前記法尻ブロックの底版に前面側にも連結可能であり、前面側に連結されたときに堤脚水路を形成することを特徴とする堤脚水路構造物。
【請求項２】
前記水路ブロックは前記法尻ブロックの背面側と前面側に連結されていることを特徴とする請求項１に記載の堤脚水路構造物。
【請求項３】
前記水路ブロックの底版に開口が形成されていることを特徴とする請求項１、もしくは請求項２に記載の堤脚水路構造物。
【請求項４】
前記水路ブロックの底版は前記法尻ブロックの底版に当接し得る、長さ方向に間隔を隔てた当接部を有し、その当接部間に前記開口が形成されていることを特徴とする請求項３に記載の堤脚水路構造物。
【請求項５】
前記法尻ブロックの排水孔は前記ドレーン層の下端部に対応した位置に形成されていることを特徴とする請求項１乃至請求項４のいずれかに記載の堤脚水路構造物。
【請求項６】
前記水路ブロックは、その底版と前記法尻ブロックの底版との間に架設されて双方に接続される連結材と、前記両底版間に充填される充填材とにより前記法尻ブロックに連結されていることを特徴とする請求項１乃至請求項５のいずれかに記載の堤脚水路構造物。
【発明の詳細な説明】
【技術分野】
【０００１】
本発明は主に河川堤防の裏法尻に設置され、堤体中に浸透し、ドレーン層に集水された雨水や河川水による浸透水を速やかに堤体外に排出して堤脚を保護する機能を有する堤脚水路構造物に関するものである。
【背景技術】
【０００２】
河川堤防の裏法尻に設置される堤脚水路に、堤体土中に浸透した雨水や河川水による浸透水を一旦集水した後に排水する機能を持たせる場合、堤体中に、透水性のある砕石や繊維シート等の排水材からなる透水層（ドレーン層）を設置し、透水層まで導かれた浸透水を排水孔から堤脚水路内へ排出し、堤脚水路を通じて下流側へ排出することが行われる（特許文献１、２参照）。
【０００３】
【特許文献１】特開２００２−１２１７２０号公報（請求項１、段落００１７〜００２７、図１）
【特許文献２】特開２００５−３６６３０号公報（段落００１９〜００２１、００２７〜００２８、図２、図３）
【発明の開示】
【発明が解決しようとする課題】
【０００４】
特許文献２によれば、堤脚水路の一部を構成する台蓋ブロックの天端が堤体の裏法面に沿った位置にあり、台蓋ブロックがスリット等を有することで、裏法面上を直接流下する雨水を堤脚水路内に導くことができる利点を有する。
【０００５】
特許文献２の堤脚水路は排水溝ブロックとその上に載る台蓋ブロックの、上下に２分割されたブロックから構成されるが、水路本体を構成する排水溝ブロックの大きさが一定であり、単位長さの水路の容積が一定であるため、同一の排水溝ブロックと台蓋ブロックによっては処理すべき雨水量の相違には対応することができない。また特許文献２の堤脚水路は暗渠水路であるため、裏法面から台蓋ブロックを越えて堤脚水路前面の路面にまで到達した雨水を処理することができない。
【０００６】
特許文献２に限らず、一般に堤脚水路は一定長さのブロックを長さ方向に連結することにより形成されるが、堤脚水路まで導いた水を下流へ排出する上では、ブロックの底版の上面に水勾配を付ける必要がある。水勾配はブロック全体を水平面に対して傾斜させることにより付けられるため、ブロックの敷設には微妙な調整を必要とし、僅かな施工誤差により水勾配がなくなる可能性がある。
【０００７】
本発明は上記背景より、堤脚に設置される堤脚水路おいて水路内に流れ込む雨水量の相違に対応可能で、裏法面から堤脚の前面に到達した雨水の処理も可能な堤脚水路構造物を提案するものである。
【課題を解決するための手段】
【０００８】
請求項１に記載の発明の堤脚水路構造物は、堤体中に設置されるドレーン層に隣接して堤体の裏法尻に設置され、排水孔を持つ壁版と底版を有する法尻ブロックと、この法尻ブロックの背面側に設置され、その底版に連結されて暗渠水路を形成する、壁版と底版を有する水路ブロックとを備え、水路ブロックが法尻ブロックの底版に前面側にも連結可能であり、前面側に連結されたときに堤脚水路を形成することを構成要件とする。
【０００９】
堤脚水路構造物が壁版と底版を有する法尻ブロックと、同じく壁版と底版を有する水路ブロックから構成され、水路ブロックが法尻ブロックの底版に連結されることで、法尻ブロックと水路ブロックの双方の壁版と底版により暗渠水路が形成される。法尻ブロックと水路ブロックの連結の際、両底版間の隙間にはコンクリートやモルタル等の充填材が充填される。
【００１０】
暗渠水路を形成する際、法尻ブロックと水路ブロックは互いに分離していることで、双方の底版を突き合わせる場合を含め、双方の底版間の間隔を調整した状態で両ブロックを連結することができるため、暗渠水路の単位長さ当たりの容積、すなわち水路の有効断面積を自由に設定、あるいは調整することが可能であり、同一の法尻ブロックと水路ブロックの組み合わせにより暗渠水路内に流れ込む雨水の量（排水量）の相違に対応することが可能となる。加えて底版の天端レベルの調整により自由に水勾配が付けられるため、排水能力の調整が可能な暗渠水路が構成される。
【００１１】
また水路ブロックは法尻ブロックの底版に前面側にも連結可能であることで、法尻ブロックと共に堤脚水路を形成できるため、裏法面から堤脚前面の路面に流下した雨水を処理することも可能となる。その場合にも双方の底版間の間隔を調整した状態で両ブロックを連結することができるため、堤脚水路の容積（水路の有効断面積）を自由に設定し、堤脚水路内に流れ込む雨水の量（排水量）の相違に対応することが可能で、水勾配の付与と併せ、排水能力の調整が可能な堤脚水路を構成することも可能である。
【００１２】
請求項２に記載の発明は請求項１に記載の発明において、水路ブロックが法尻ブロックの背面側と前面側に連結されていることを構成要件とする。
【００１３】
この場合は、法尻ブロックの背面側に暗渠水路が形成され、前面側に堤脚水路が形成されるため、ドレーン層から排出される浸透水と裏法面から堤脚の前面に到達した雨水の双方を同時に集水し、排出することが可能であり、暗渠水路と堤脚水路のそれぞれが処理できる雨水量の相違に対応することも可能である。
【００１４】
請求項３に記載の発明は請求項１、もしくは請求項２に記載の発明において、水路ブロックの底版に開口が形成されていることを構成要件とする。
【００１５】
水路ブロックは法尻ブロックとの間の間隔を調整した状態で法尻ブロックに連結されることから、両ブロックが双方の底版間に間隔が空いた状態で連結されるときにはその底版間にコンクリートやモルタル等の充填材が充填されることになる。
【００１６】
請求項３によれば、水路ブロックの底版に開口が形成されていることで、現場において開口を埋めながら充填材の天端に水勾配を付けることができるため、水平線を基準に法尻ブロックと水路ブロックを設置しながらも、暗渠水路、または堤脚水路に自由な水勾配を付けることが可能となり、法尻ブロックと水路ブロックの敷設に微調整を要せず、各ブロックの設置作業が単純化される利点がある。
【００１７】
また請求項３によれば、開口への充填材の充填によって水勾配を付与する際に、下部地盤との一体化を図り易くなるため、充填材の充填によって完成する堤脚水路構造物の安定化が図られる利点もある。この他、開口の形成により、水路ブロック自体が軽量化される上、水路ブロックの製作に要するコンクリート量が削減されるため、製作コストが節減される利点もある。
【００１８】
請求項４に記載の発明は請求項３に記載の発明において、水路ブロックの底版が法尻ブロックの底版に当接し得る、長さ方向に間隔を隔てた当接部を有し、その当接部間に開口が形成されていることを構成要件とする。
【００１９】
この場合、長さ方向に間隔を隔てて法尻ブロック側へ張り出す当接部間に開口が形成されることで、法尻ブロック側が開放した形に開口が形成されるため、底版の中間部に開口が形成された場合より底版の面積を小さくすることができ、水路ブロックを大幅に軽量化することが可能になる。
【００２０】
請求項５に記載の発明は請求項１乃至請求項４のいずれかに記載の発明において、法尻ブロックの排水孔がドレーン層の下端部に対応した位置に形成されていることを構成要件とする。
【００２１】
この場合、法尻ブロックの壁版に形成される排水孔がドレーン層の下端部に対応した位置にあることで、ドレーン層が集水した浸透水を排水孔を通じて直接的に法尻ブロックの前面に形成される堤脚水路へ導くことができるため、堤体内の浸透水の堤脚水路への排出を促すことが可能となる。
【００２２】
請求項６に記載の発明は請求項１乃至請求項５のいずれかに記載の発明において、水路ブロックが、その底版と法尻ブロックの底版との間に架設されて双方に接続される連結材と、両ブロックの底版間に充填される充填材とにより法尻ブロックに連結されていることを構成要件とする。
【００２３】
この場合、水路ブロックが対向する法尻ブロックから遠ざかる向きの力には連結材が引張力を負担することで抵抗し、接近する向きの力には充填材が圧縮力を負担することで抵抗するため、両ブロック底版間の間隔の相違に関係なく、水路ブロックが受けるいずれの向きの荷重に対しても安定性を確保することが可能である。
【発明の効果】
【００２４】
上記の通り、本発明では壁版と底版を有する法尻ブロックと、壁版と底版を有し、法尻ブロックの背面側に連結される水路ブロックから堤脚水路構造物を構成し、法尻ブロックと水路ブロックを互いに分離させているため、双方の底版間の間隔を調整した状態で両ブロックを連結することができる。この結果、暗渠水路の単位長さ当たりの容積を自由に設定することができ、同一の法尻ブロックと水路ブロックの組み合わせにより暗渠水路内に流れ込む雨水量の相違に対応することが可能である。
【００２５】
また水路ブロックは法尻ブロックの底版に前面側にも連結可能であることで、法尻ブロックと共に堤脚水路を形成できるため、裏法面から堤脚前面の路面に流下した雨水を処理することもできる。その場合にも双方の底版間の間隔を調整した状態で両ブロックを連結することができるため、堤脚水路の容積を自由に設定し、堤脚水路内に流れ込む雨水量の相違に対応することも可能である。
【発明を実施するための最良の形態】
【００２６】
以下、図面を用いて本発明を実施するための最良の形態を説明する。
【００２７】
本発明は図１に示すように堤体中に設置されるドレーン層４に隣接して堤体の裏法尻に設置され、排水孔２ｃを持つ壁版２ａと底版２ｂを有する法尻ブロック２と、この法尻ブロック２の背面側に設置され、その底版２ｂに連結されて暗渠水路Ａを形成する、壁版３ａと底版３ｂを有する水路ブロック３とを備え、水路ブロック３が法尻ブロック２の底版２ｂに前面側にも連結可能で、前面側に連結されたときに堤脚水路Ｂを形成する堤脚水路構造物１である。図１８、図１９は水路ブロック３を法尻ブロック２の前面側に連結したときの堤体と堤脚水路構造物１との関係を示す。
【００２８】
図１は水路ブロック３を法尻ブロック２の背面側に配置し、法尻ブロック２と水路ブロック３から暗渠水路Ａを形成した、最も基本的な法尻ブロック２と水路ブロック３との組み合わせ例を示す。図２は図１に示す組み合わせ例の法尻ブロック２の前面側の立面を、図３は図２の平面を、図４は法尻ブロック２の背面側の立面を示す。図５−（ａ）は図２のｘ−ｘ線の断面を、（ｂ）はｙ−ｙ線の断面を示す。
【００２９】
図１〜図５に示すように法尻ブロック２は壁版２ａと、その下端から背面側（堤体側）へ張り出す底版２ｂからＬ形、もしくはＬ形に近い断面形状をし、壁版２ａの背面において堤体の裏法尻に密着し、底版２ｂにおいて捨てコンクリート、割栗石８等の上に設置される。図面では水路ブロック３が法尻ブロック２の前面側に配置された場合での水路ブロック３の底版３ｂとの連結のし易さの面から、法尻ブロック２の底版２ｂを壁版２ａの表面より僅かに前面側へ突出させている。また法尻ブロック２の壁版２ａを鉛直面に対し、上方へかけて堤体側へ傾斜させているが、鉛直に向ける場合もある。図面では壁版２ａの表面に模様を施している。
【００３０】
水路ブロック３も壁版３ａと、その下端から法尻ブロック２側へ張り出す底版３ｂからＬ形、もしくはＬ形に近い断面形状をし、底版３ｂが法尻ブロック２側を向いて法尻ブロック２に対向し、法尻ブロック２との間隔が調整された状態で法尻ブロック２と同様に捨てコンクリートや割栗石８等の上に設置され、後述のように連結材５によって法尻ブロック２の底版２ｂに連結される。図面では水路ブロック３の壁版３ａの高さを法尻ブロック２の壁版２ａの高さの１／４程度にしているが、水路ブロック３は法尻ブロック２と共に暗渠水路Ａ、または後述の堤脚水路Ｂを構成することから、水路ブロック３の規模は想定される水路の大きさに応じて自由に設定される。壁版３ａは鉛直面に対して傾斜する場合もある。
【００３１】
法尻ブロック２の壁版２ａには板厚方向に貫通する排水孔２ｃが形成される。排水孔２ｃはドレーン層４が集水した浸透水を壁版２ａの前面側へ排出することから、原則的にはドレーン層４の下端部に対応した位置に形成される。図面では１枚の壁版２ａに横長の排水孔２ｃを２個形成しているが、排水孔２ｃの形状と個数はドレーン層４の厚さ、幅等に応じて任意に設定される。
【００３２】
図１ではドレーン層４に集水された浸透水の暗渠水路Ａへの排出を促すために、暗渠水路Ａ内にドレーン管７を設置し、それに伴い、暗渠水路Ａからの排水のために排水孔２ｃに加え、壁版２ａの、底版２ｂの上面のレベルに排水孔２ｃ’を形成している。図１ではまた、水路ブロック３の底版３ｂを法尻ブロック２の底版２ｂに突き合わせているが、図６、図１１、図１２に示すように間隔を隔てて設置する場合もある。
【００３３】
図１では暗渠水路Ａから外部への排水のために排水孔２ｃ’を形成しているが、図１のように排水孔２ｃ’と共にドレーン層４の下端のレベルにも排水孔２ｃを形成しておけば、ドレーン層４中の浸透水を排水孔２ｃから法尻ブロック２の前面側へ排出することもできる。またドレーン層４の下端レベルに排水孔２ｃを形成しておくことで、図１３に示すように水路ブロック３を法尻ブロック２の前面側と背面側に配置し、法尻ブロック２の前面側に堤脚水路Ｂを形成すると同時に、背面側に暗渠水路Ａを形成する組み合わせにも対応することが可能である。
【００３４】
ドレーン管７には例えば多数の透水孔を形成したパイプや管状に成型した金網等の他、塊り状に成型した合成繊維等を充填した前記パイプや管状の金網等が使用される。ドレーン管７は暗渠水路Ａ内に敷設されることで、ドレーン層４中の浸透水の暗渠水路Ａへの排出を促す働きをし、ドレーン管７内に導かれた水は暗渠水路Ａを通じて、または暗渠水路Ａを構成する法尻ブロック２の排水孔２ｃ’から法尻ブロック２の前面側へ排出されるか、または前面の地盤中に浸透させられる。
【００３５】
ドレーン層４は砕石や礫等、多数集合して透水性を発揮するドレーン材４ａを金網、エキスパンドメタル、パンチングメタル等のメッシュ状のフィルター材４ｂで被覆して構成される。ドレーン層４は堤体中には浸透水が法尻ブロック２と水路ブロック３からなる暗渠水路Ａ、または堤脚水路Ｂへ円滑に排出されるよう、図１、図６、図１１、図１２に示すようにドレーン層４の下端のレベルが、法尻ブロック２の前面側に堤脚水路Ｂが形成される場合の排水孔２ｃのレベルに対応（一致）するように堤体内に設置される。
【００３６】
図４、図５−（ｂ）に示すように法尻ブロック２の底版２ｂと、水路ブロック３の底版３ｂには両者を連結する連結材５が挿通するための挿通孔２ｄ、３ｃが形成される。法尻ブロック２の底版２ｂには法尻ブロック２の前面側からと背面側から、水路ブロック３の底版３ｂが連結されることがあることから、底版２ｂの挿通孔２ｄは場合により法尻ブロック２の前面側からと背面側から形成される。図４では底版３ｂの長さ方向の中央部と両側の３箇所に挿通孔３ｃを形成しているが、挿通孔３ｃの数と位置は問われない。
【００３７】
水路ブロック３が法尻ブロック２の背面側に配置される場合と前面側に配置される場合のいずれも、図１、図６に示すように連結材５は基本的には底版３ｂと底版２ｂのいずれか一方の挿通孔３ｃ（２ｄ）を貫通して他方の底版２ｂ（３ｂ）の挿通孔２ｄ（３ｃ）に到達し、挿通孔２ｄ（３ｃ）内で接続され、水路ブロック３、または法尻ブロック２の表面において定着される。図面では底版２ｂの幅より底版３ｂの幅が小さい関係から、水路ブロック３の挿通孔３ｃを貫通させて法尻ブロック２の挿通孔２ｄに連結材５を挿入している。
【００３８】
この挿通孔２ｄ（３ｃ）内での連結材５の接続のために、挿通孔２ｄ（３ｃ）内には例えば連結材５にねじの切られたボルトや鉄筋を使用した場合に対応し、雌ねじの切られたナットやインサートが予め埋設される。この他、連結材５は挿通孔２ｄ（３ｃ）内に充填される接着剤やモルタル等の充填材中に定着されることによっても挿通孔２ｄ（３ｃ）において底版２ｂ（３ｂ）に接続される。連結材５には例えばボルト、鉄筋、棒鋼、ワイヤ等の鋼材が使用され、連結材５は主として双方の端面間距離が拡大しようとする向きの力を引張力として負担する。充填材６は端面間距離が縮小しようとする向きの力を圧縮力として負担する。
【００３９】
法尻ブロック２の底版２ｂと水路ブロック３の底版３ｂは図１に示すように双方の端面が互いに密着した状態で連結される他、図６、図１１、図１２に示すように端面間に間隔を隔てた状態で連結される。間隔を隔てて連結される場合には、双方の端面間にモルタル、コンクリート、砕石等の充填材６が充填され、充填材６の天端のレベルに水勾配が付けられる。
【００４０】
図１に示すように水路ブロック３が法尻ブロック２の背面側に配置される場合、水路ブロック３の底版３ｂの背面側から連結材５を挿通孔３ｃに挿通させ、法尻ブロック２の挿通孔２ｄに到達させることにより水路ブロック３の連結が行われる。水路ブロック３の法尻ブロック２への連結は図６に示すように法尻ブロック２の前面側に配置される場合にも同様に行われる。
【００４１】
挿通孔３ｃに到達した連結材５の先端部は挿通孔３ｃに螺合することにより、または上記の充填材中に埋設されることにより定着される。底版３ｂから露出した連結材５の頭部はナットにより、またはモルタル等に埋め殺されることにより底版３ｂに定着される。水路ブロック３の法尻ブロック２への連結により法尻ブロック２と水路ブロック３によって暗渠水路Ａ、または堤脚水路Ｂが構成される。
【００４２】
法尻ブロック２の背面側に暗渠水路Ａが形成された図１の場合、堤体表面から堤体中に浸透した雨水はドレーン層４に集水され、ドレーン層４から法尻ブロック２の排水孔２ｃを通じて法尻ブロック２と水路ブロック３からなる暗渠水路Ａへ排出される。ドレーン層４中の浸透水が排水孔２ｃから排出され続けることで、ドレーン層４内の排水孔２ｃ寄りの浸透水の密度が低下し、浸透水は常に排水孔２ｃ側へ導かれるため、排水孔２ｃから排出される限り、暗渠水路Ａへの排出が促される。
【００４３】
図６は水路ブロック３を法尻ブロック２の前面側に配置し、法尻ブロック２と水路ブロック３から堤脚水路Ｂを形成した、法尻ブロック２と水路ブロック３との組み合わせ例を示す。図７は図６に示す組み合わせ例の法尻ブロック２の前面側の立面を、図８は図７の平面を、図９は法尻ブロック２の背面側の立面を示す。図１０−（ａ）は図７のｘ−ｘ線の断面を、（ｂ）はｙ−ｙ線の断面を示す。
【００４４】
図６は水路ブロック３の底版３ｂと法尻ブロック２の底版２ｂとの間の間隔が比較的小さい場合の組み合わせ例であるが、図１１、図１２は図６の場合より水路ブロック３の底版３ｂと法尻ブロック２の底版２ｂとの間隔を大きくした場合の水路ブロック３と法尻ブロック２の組み合わせ例を示す。図１２は特に法尻ブロック２を乗り越える雨水と路面上に溜まる雨水を合わせた、予測される水量が多い場合に備えた組み合わせ例である。間隔の大きさに応じて連結材５の長さは変えられる。
【００４５】
図６、図１１、図１２に示すように法尻ブロック２の前面側に堤脚水路Ｂが形成された場合には堤体表面から法尻ブロック２を乗り越えて落下しようとする水は壁版２ａの表面を伝って堤脚水路Ｂに直接流れ込み、法尻ブロック２の前面側の路面上に溜まる雨水は水路ブロック３の壁版３ａを乗り越えて同様に堤脚水路Ｂに直接流れ込み、共に堤脚水路Ｂを通じて排出される。
【００４６】
図１３はドレーン層４から排出される浸透水と裏法面から堤脚の前面に流下した雨水の双方を同時に集水して排出できるよう、水路ブロック３を法尻ブロック２の背面側と前面側に設置し、暗渠水路Ａと堤脚水路Ｂを同時に形成した場合の組み合わせ例を示す。
【００４７】
図１４は水路ブロック３の底版３ｂに開口３ｄを形成した場合、特に水路ブロック３の底版３ｂに法尻ブロック２の底版２ｂに当接し得る、長さ方向に間隔を隔てた当接部３ｅを形成し、その当接部３ｅ、３ｅ間に開口３ｄを形成した場合に、水路ブロック３を法尻ブロック２と組み合わせた状態の平面を示す。図１５−（ａ）は図１４のｘ−ｘ線の断面を、（ｂ）はｙ−ｙ線の断面を示す。図１４、図１５では水路ブロック３を法尻ブロック２の前面側に配置し、当接部３ｅを底版２ｂに当接させているが、法尻ブロック２の背面側に配置することも、当接部３ｅと底版２ｂ間に間隔を空けることもある。
【００４８】
図１４では法尻ブロック２側が開放した形に開口３ｄを形成しているが、開口３ｄが底版３ｂの一部に形成され、開口３ｄ以外の底版３ｂの一部に挿通孔３ｃを形成することができる形であれば開口３ｄの形状は問われない。法尻ブロック２側が開放した開口３ｄを形成した図１４の場合、底版３ｂの挿通孔３ｃは当接部３ｅの位置に形成される。
【００４９】
図１６、図１７は開口３ｄを含む底版３ｂ上に、法尻ブロック２と水路ブロック３を水平面上に設置しながらも、堤脚水路Ｂ、または暗渠水路Ａの天端面に上流側から下流側へかけて水勾配が付くようにモルタルやコンクリート等の充填材６を充填、あるいは打設し、表面を均した様子を示す。図１６−（ａ）、（ｂ）はそれぞれ上流側における図１４のｘ−ｘ線、ｙ−ｙ線の断面を、図１７−（ａ）、（ｂ）はそれぞれ下流側における図１４のｘ−ｘ線、ｙ−ｙ線の断面を示す。
【図面の簡単な説明】
【００５０】
【図１】水路ブロックを法尻ブロックの背面側に配置した場合の組み合わせ例を示した縦断面図である。
【図２】図１に示す堤脚水路構造物の前面を示した正面図である。
【図３】図２の平面図である。
【図４】図２の背面図である。
【図５】（ａ）は図２のｘ−ｘ線断面図、（ｂ）は図２のｙ−ｙ線断面図である。
【図６】水路ブロックを法尻ブロックの前面側に配置した場合の堤脚水路構造物の組み合わせ例を示した縦断面図である。
【図７】図６に示す堤脚水路構造物の前面を示した正面図である。
【図８】図７の平面図である。
【図９】図７の背面図である。
【図１０】（ａ）は図７のｘ−ｘ線断面図、（ｂ）は図７のｙ−ｙ線断面図である。
【図１１】水路ブロックを法尻ブロックの前面側に配置し、図６の場合より堤脚水路の容積を拡大した場合の組み合わせ例を示した縦断面図である。
【図１２】水路ブロックを法尻ブロックの前面側に配置し、図１１の場合より堤脚水路の容積を拡大した場合の組み合わせ例を示した縦断面図である。
【図１３】水路ブロックを法尻ブロックの前面側と背面側に配置した場合の組み合わせ例を示した縦断面図である。
【図１４】水路ブロックの底版に開口を形成した場合の法尻ブロックとの組み合わせ例を示した平面図である。
【図１５】（ａ）は図１４のｘ−ｘ線断面図、（ｂ）は図１４のｙ−ｙ線断面図である。
【図１６】（ａ）は底版上に充填材を充填したときの上流側の様子を示した図１４のｘ−ｘ線断面図、（ｂ）は図１４のｙ−ｙ線断面図である。
【図１７】（ａ）は底版上に充填材を充填したときの下流側の様子を示した図１４のｘ−ｘ線断面図、（ｂ）は図１４のｙ−ｙ線断面図である。
【図１８】堤体と堤脚水路構造物との関係を示した縦断面図である。
【図１９】図１８に示す堤脚水路構造物部分の拡大図である。
【符号の説明】
【００５１】
１………堤脚水路構造物
２………法尻ブロック
２ａ……壁版
２ｂ……底版
２ｃ……排水孔
２ｃ’…排水孔
２ｄ……挿通孔
３………水路ブロック
３ａ……壁版
３ｂ……底版
３ｃ……挿通孔
３ｄ……開口
３ｅ……当接部
４………ドレーン層
４ａ……ドレーン材
４ｂ……フィルター材
５………連結材
６………充填材
７………ドレーン管
８………割栗石
Ａ………暗渠水路
Ｂ………堤脚水路
【図１】
2006283522.tif 000003
【図２】
2006283522.tif 000004
【図３】
2006283522.tif 000005
【図４】
2006283522.tif 000006
【図５】
2006283522.tif 000007
【図６】
2006283522.tif 000008
【図７】
2006283522.tif 000009
【図８】
2006283522.tif 000010
【図９】
2006283522.tif 000011
【図１０】
2006283522.tif 000012
【図１１】
2006283522.tif 000013
【図１２】
2006283522.tif 000014
【図１３】
2006283522.tif 000015
【図１４】
2006283522.tif 000016
【図１５】
2006283522.tif 000017
【図１６】
2006283522.tif 000018
【図１７】
2006283522.tif 000019
【図１８】
2006283522.tif 000020
【図１９】
2006283522.tif 000021